(57)【要約】【課題】  無駄な電力消費を防止しつつ操作部の表面部分に画像を表示し続けることができ、しかもその操作部の表面部分に表示する画像を手軽に変更することができる情報通信端末を提供する。【解決手段】表示画像を切り換えるための電気信号を受けることで表示画像が変化し且つその画像の表示状態を無給電状態でも維持可能なキー画像表示パネル２０８を用いて、操作部２１３の各キー２１〜２５の表面部分を構成する。また、キー画像表示パネル２０８に電気信号を送って表示画像を切り換える表示制御装置２０７を備える。【選択図】  図１
2005227899.tif 000002
【特許請求の範囲】
【請求項１】
利用者が操作する操作手段と、該操作手段の操作内容に応じて所定の動作を実行する制御手段とを備えた情報通信端末であって、
表示画像を切り換えるための電気信号を受けることで表示画像が変化し且つ該画像の表示状態を無給電状態でも維持可能な無給電画像表示手段を用いて、上記操作手段の表面部分を構成し、
上記無給電画像表示手段に上記電気信号を送って上記表示画像を切り換える画像切換手段を備えたことを特徴とする情報通信端末。
【請求項２】
請求項１の情報通信端末において、
上記操作手段は、互いに独立に操作可能な複数のキーを有するものであり、
該キーの表面部を上記無給電画像表示手段で形成したことを特徴とする情報通信端末。
【請求項３】
請求項１の情報通信端末において、
上記制御手段を、複数種類の動作モードを切り換えて所定の動作を実行可能に構成し、
上記画像切換手段は、該制御手段で実行する動作モードに応じて上記無給電画像表示手段に表示する操作案内用の画像を切り換えることを特徴とする情報通信端末。
【請求項４】
請求項３の情報通信端末において、
上記制御手段でアプリケーションプログラムを実行する動作モードに切り換えたときのプログラム実行環境を管理するアプリケーションプログラム実行管理手段を備え、
上記画像切換手段は、該アプリケーションプログラム実行管理手段から送られてくる画像切換指令に基づいて上記操作案内用の画像を切り換えることを特徴とする情報通信端末。
【請求項５】
請求項１の情報通信端末において、
上記無給電画像表示手段で表示する画像の切り換えを指示するための画像切換指示手段を設け、
上記画像切換手段は、該画像切換指示手段による指示内容に応じて上記操作手段の表面部分に表示する画像に切り換えることを特徴とする情報通信端末。
【請求項６】
請求項１の情報通信端末において、
当該情報通信端末の姿勢を検知する姿勢検知手段を設け、
上記画像切換手段は、該姿勢検知手段の検知結果に基づいて上記無給電画像表示手段で表示する画像の方向を切り換えることを特徴とする情報通信端末。
【発明の詳細な説明】
【技術分野】
【０００１】
本発明は、利用者が操作する操作手段と、その操作手段の操作内容に応じて所定の動作を実行する制御手段とを備えた携帯電話機等の情報通信端末に関するものである。
【背景技術】
【０００２】
携帯電話機等の情報通信端末の操作部の表面には、利用者によるキー操作を案内するための文字や記号等の操作案内用の画像が印刷されている。例えば、携帯電話機の操作部に配置されている複数のキーの表面には、そのキーを押下したときに入力される数字、かな、記号等の画像や、そのキーを押下したときの動作内容を示す画像等の操作案内用の画像が印刷されている。この操作部の上記操作案内用の画像を含めた表面デザインは、情報通信端末の外観デザインに大きな影響を与えるため、ファッションあるいはインテリアとして認識している利用者は多い。そのため、自分の情報通信端末の操作部の表面デザインを自分の希望に沿ったものに手軽に変更したいという利用者からの要望がある。
また、携帯電話機等の情報通信端末では、その携帯性を確保するために、操作部に配置できるキーの個数に制約がある。そのため、複数の動作モードを切り換えて実行する場合、通常のパソコンのキーボード等に比較し、各キーが比較的多くの用途に兼用されている。そこで、各動作モード実行中の操作性を高めるため、動作モードの種類ごとに、操作部の各キーの表面に表示されている操作案内用の画像を変更したいという要望もある。特に、ゲームなどのアプリケーションプログラムを情報通信端末で実行する動作モードのときは、そのアプリケーションプログラムの実行で用いる特定の用途に各キーを割り当てる場合が多い。かかる場合に、操作部のキーの表面にある操作案内用の画像を、上記データ入力のための数字、かな、記号等の操作案内用の画像から、実行中のゲームなどのアプリケーションプログラムで用いる特定の用途の内容を示す操作案内用の画像に変更すると便利である。
従来、上記操作部の表面の画像を変更できるものとして、操作部に液晶表示器を備えた携帯端末装置が知られている（例えば、特許文献１参照）。
【０００３】
【特許文献１】特開２００３−６１１３９号公報
【発明の開示】
【発明が解決しようとする課題】
【０００４】
しかしながら、上記特許文献１に記載の携帯端末装置では、操作部に設けた液晶表示器に給電しなければ画像を表示することができない。そのため、上記操作案内用の画像を操作部に表示している間は給電を続ける必要があり、電力消費が増大してしまうという不具合があった。特に、携帯端末装置には、通話、データの演算処理、データ通信などの本来の機能をなるべく長い時間発揮できるように、無駄な電力消費を抑えなければならないという制約がある。そのため、操作部の表面の画像を長時間表示させ続けるべく液晶表示器への給電を長期間継続することは、その携帯端末装置の本来の機能を発揮させる時間を大きく削減してしまう。
【０００５】
本発明は、上記背景に鑑みなされたものであり、その目的は、無駄な電力消費を防止しつつ操作部の表面部分に画像を表示し続けることができ、しかもその操作部の表面部分に表示する画像を手軽に変更することができる情報通信端末を提供することである。
【課題を解決するための手段】
【０００６】
上記目的を達成するために、請求項１の発明は、利用者が操作する操作手段と、該操作手段の操作内容に応じて所定の動作を実行する制御手段とを備えた情報通信端末であって、表示画像を切り換えるための電気信号を受けることで表示画像が変化し且つ該画像の表示状態を無給電状態でも維持可能な無給電画像表示手段を用いて、上記操作手段の表面部分を構成し、上記無給電画像表示手段に上記電気信号を送って上記表示画像を切り換える画像切換手段を備えたことを特徴とするものである。
この情報通信端末では、操作手段の表面部分を構成する無給電画像表示手段に表示する画像の表示状態が無給電状態でも維持されるため、無駄な電力消費を防止しつつ操作手段の表面部分に画像を表示し続けることができる。しかも、利用者の好みが変わったり動作モードを切り換えたりしたときなど操作手段の表面部分に表示する画像を変更する場合には、画像切換手段により無給電画像表示手段に電気信号を送って表示画像を切り換える。この切り換えにより、操作手段の表面部分に表示する画像を手軽に変更することができる。
【０００７】
また、請求項２の発明は、請求項１の情報通信端末において、上記操作手段は、互いに独立に操作可能な複数のキーを有するものであり、該キーの表面部分を上記無給電画像表示手段で形成したことを特徴とするものである。
この情報通信端末では、操作手段に有する複数のキーそれぞれの表面部分を構成する無給電画像表示手段に表示する画像の表示状態が無給電状態でも維持されるため、無駄な電力消費を防止しつつ各キーの表面部分に画像を表示し続けることができる。しかも、利用者の好みが変わったり動作モードを切り換えたりしたときなど各キーの表面部分に表示する画像を変更する場合には、各キーに設けた無給電画像表示手段に表示する画像を画像切換手段で切り換える。この切り換えにより、各キーの表面部分に表示する画像を手軽に変更することができる。
【０００８】
また、請求項３の発明は、請求項１の情報通信端末において、上記制御手段は、複数種類の動作モードを切り換えて所定の動作を実行可能なものであり、上記画像切換手段は、該制御手段で実行する動作モードに応じて上記無給電画像表示手段に表示する操作案内用の画像を切り換えることを特徴とするものである。
この情報通信端末では、制御手段で実行する動作モードを切り換えたときに、その切り換え後の動作モードに応じて無給電画像表示手段に表示する画像を切り換える。この表示画像の切り換えにより、操作手段の表面部分に、上記切り換え後の動作モードで用いる適切な操作案内用の画像を表示できる。
【０００９】
また、請求項４の発明は、請求項３の情報通信端末において、上記制御手段でアプリケーションプログラムを実行する動作モードに切り換えたときのプログラム実行環境を管理するアプリケーションプログラム実行管理手段を備え、上記画像切換手段は、該アプリケーションプログラム実行管理手段から送られてくる画像切換指令に基づいて上記操作案内用の画像を切り換えることを特徴とするものである。
この情報通信端末では、アプリケーションプログラムに上記操作案内用の画像を切り換える旨の内容が含まれていると、アプリケーションプログラム実行管理手段から画像切換手段に画像切換指令が送られる。画像切換手段は、アプリケーションプログラム実行管理手段から受けた画像切換指令に基づいて、操作手段の表面部分に表示する操作案内用の画像を切り換える。この画像の切り換えにより、そのアプリケーションプログラムで用いる適切な操作案内用の画像を操作手段の表面部分に表示できる。
【００１０】
また、請求項５の発明は、請求項１の情報通信端末において、上記無給電画像表示手段で表示する画像の切り換えを指示するための画像切換指示手段を設け、上記画像切換手段は、該画像切換指示手段による指示内容に応じて上記操作手段の表面部分に表示する画像に切り換えることを特徴とするものである。
この情報通信端末では、操作手段の表面部分に表示する画像を利用者が変更しようとするとき、利用者は画像切換指示手段により無給電画像表示手段で表示する画像の切り換えを指示する。画像切換手段は、画像切換指示手段による指示内容に応じて無給電画像表示手段で表示する画像を所定の画像に切り換える。この画像の切り換えにより、操作手段の表面部分に表示する画像を、利用者が希望する画像に切り換えることができる。
【００１１】
また、請求項６の発明は、請求項１の情報通信端末において、当該情報通信端末の姿勢を検知する姿勢検知手段を設け、上記画像切換手段は、該姿勢検知手段の検知結果に基づいて上記無給電画像表示手段で表示する画像の方向を切り換えることを特徴とするものである。
この情報通信端末では、情報通信端末を傾けたときなど情報通信端末の姿勢が変化すると、その姿勢の変化が姿勢検知手段で検知される。画像切換手段は、姿勢検知手段の検知結果に基づいて、上記無給電画像表示手段で表示する画像の方向を、利用者が見やすい方向に切り換える。
【００１２】
なお、上記「情報通信端末」としては、ＰＤＣ（Personal Digital Cellular）方式、ＧＳＭ（Global SYstem for Mobile Communication）方式、ＴＩＡ（Telecommunications IndustrY Association）方式等の携帯電話機、ＩＭＴ（International Mobile Telecommunications）−２０００で標準化された携帯電話機、ＰＨＳ（Personal HandYphone Service）、自動車電話機等が挙げられる。また、この「情報通信端末」としては、上記電話機のほか、電話機能を有しないＰＤＡ（Personal Digital Assistance）等の情報通信端末も挙げられる。
【発明の効果】
【００１３】
請求項１乃至６の発明によれば、無駄な電力消費を防止しつつ操作部の表面部分に画像を表示し続けることができ、しかもその操作部の表面部分に表示する画像を手軽に変更することができるという優れた効果がある。
特に、請求項２の発明によれば、無駄な電力消費を防止しつつ操作部の複数のキーの表面部分に画像を表示し続けることができ、しかも各キーの表面部分に表示する画像を手軽に変更することができるできるという優れた効果がある。
特に、請求項３の発明によれば、制御手段で実行する動作モードを切り換えたときに、その切り換え後の動作モードで用いる適切な操作案内用の画像を表示できるという優れた効果がある。
特に、請求項４の発明によれば、アプリケーションプログラムの種類に応じて適切な操作案内用の画像を操作部の表面部分に表示できるという優れた効果がある。
特に、請求項５の発明によれば、利用者が画像切換指示手段で指示することにより、操作手段の表面部分に表示する画像を、任意のタイミングで利用者が希望する画像に切り換えることができるという優れた効果がある。
特に、請求項６の発明によれば、情報通信端末を傾けたときなど情報通信端末の姿勢が変化した場合に、操作手段の表面部分に表示する画像の方向を、利用者が見やすい方向に切り換えることができるという優れた効果がある。
【発明を実施するための最良の形態】
【００１４】
以下、本発明の一実施形態を、図面を参照しながら説明する。
図２は、本実施形態に係る情報通信端末（移動体通信端末）としての携帯電話機が利用可能な移動体通信システムの全体構成を説明するための説明図である。
この移動体通信システムにおいて、ユーザー１が使用する携帯電話機２０は、ユーザー１によって登録されたアプリケーションプログラムを実行可能な構成を有している。本実施形態において、このアプリケーションプログラムは、プラットフォームに依存しないオブジェクト指向プログラミングによって開発されたものである。このようなアプリケーションプログラムとしては、ＪＡＶＡ（サンマイクロシステムズ社の登録商標。以下、同様である。）で記述されたアプリケーションプログラム、ＢＲＥＷ（クアルコム社の登録商標。以下同様。）のアプリケーション実行環境上で動作するアプリケーションプログラムなどが挙げられる。この携帯電話機２０は、通信ネットワークとしての携帯電話通信網１０に接続可能である。また、この携帯電話通信網１０には、サーバ装置としてのコンテンツデータダウンロードサーバ（以下、「ダウンロードサーバ」という。）１１が接続されている。このダウンロードサーバ１１は、携帯電話機２０からのプログラム取得要求であるダウンロード要求を受け付けると、その要求に係る特定プログラムであるアプリケーションプログラムを携帯電話機２０に対して送信する。また、このダウンロードサーバ１１は、携帯電話機２０からの画像取得要求であるダウンロード要求を受け付けると、その要求に係る画像データを携帯電話機２０に対して送信するアプリケーションプログラム提供用のサーバとしても機能する。この画像データは、後述する携帯電話機２０の液晶ディスプレイ（ＬＣＤ）２７や背面ＬＣＤ２９に表示される画像の画像データであり、以下、ＬＣＤ画像データという。
【００１５】
ダウンロードサーバ１１から提供されるアプリケーションプログラムやＬＣＤ画像データは、制作元２から提供される。具体的には、例えば、制作元２側のパーソナルコンピュータ等から、専用回線や公衆回線を介してダウンロードサーバ１１にアップロードして提供する。なお、制作したアプリケーションプログラムやＬＣＤ画像データを記録した光ディスクや磁気ディスク等の記録媒体を、制作元２からダウンロードサーバ１１を管理・運営する通信事業者に送り、その記録媒体内のデータをダウンロードサーバ１１で読み取るようにして、提供してもよい。このようにして提供されたアプリケーションプログラムやＬＣＤ画像データは、携帯電話機２０から携帯電話通信網１０を介してダウンロード可能な状態でダウンロードサーバ１１に登録される。
【００１６】
図３は、上記ダウンロードサーバ１１のハードウェア構成を示す概略構成図である。
このダウンロードサーバ１１は、システムバス１００、ＣＰＵ１０１、内部記憶装置、外部記憶媒体としての外部記憶装置１０４、入力装置１０５及び出力装置１０６を備えている。上記内部記憶装置は、ＲＡＭ１０２やＲＯＭ１０３等で構成されている。上記外部記憶装置は、ハードディスクドライブ（ＨＤＤ）や光ディスクドライブ等で構成されている。上記入力装置１０５は、外部記憶装置１０４、マウスやキーボード等で構成されている。上記出力装置１０６は、ディスプレイやプリンタ等で構成されている。更に、このダウンロードサーバ１１は、携帯電話通信網１０を介して各ユーザー１の携帯電話機２０と通信するための携帯電話通信網用通信装置１０７を備えている。
上記ＣＰＵ１０１やＲＡＭ１０２等の構成要素は、システムバス１００を介して、互いにデータやプログラムの命令等のやり取りを行う。このダウンロードサーバ１１を所定の手順に従って動作させるためのプログラムは、ＲＯＭ１０３や外部記憶装置１０４に記憶されており、必要に応じてＣＰＵ１０１やＲＡＭ１０２上の作業エリアに呼び出されて実行される。また、このダウンロードサーバ１１には、携帯電話機２０に提供するＬＣＤ画像データやアプリケーションプログラムが外部記憶装置１０４に記憶されている。また、この外部記憶装置１０４には、後述する携帯電話機２０のキー画像表示パネルに表示されるキー画像の画像データ（以下、「キー画像データ」という。）が、上記ＬＣＤ画像データや上記アプリケーションプログラムに関連付けられた状態で記憶されている。ダウンロードサーバ１１は、携帯電話機２０からのダウンロード要求に応じ、ＣＰＵ１０１、ＲＡＭ１０２、携帯電話通信網用通信装置１０７等が協働して、外部記憶装置１０４に記憶されているＬＣＤ画像データやアプリケーションプログラム並びにこれらに関連付けられたキー画像データを、携帯電話通信網１０を介して携帯電話機２０に送信する機能を有している。なお、このダウンロードサーバ１１は、専用の制御装置として構成してもいいし、汎用のコンピュータシステムを用いて構成してもよい。また、１台のコンピュータで構成してもいいし、複数の機能をそれぞれ受け持つ複数台のコンピュータをネットワークで結んで構成してもよい。
【００１７】
図１（ａ）及び（ｂ）は互いに異なる動作モードにおける携帯電話機２０の外観を示す正面図である。また、図４は、その携帯電話機２０のハードウェア構成を示す概略構成図である。この携帯電話機２０は、クラムシェル（折り畳み）タイプの携帯電話機である。この携帯電話機２０は、外壁部を構成するケーシングの内部に、システムバス２００、ＣＰＵ２０１、ＲＡＭ２０２やＲＯＭ２０３等からなる制御手段としての内部制御装置、入力装置２０４、出力装置２０５、携帯電話通信網用通信装置２０６及び画像切換手段としての表示制御装置２０７を備えている。ＣＰＵ２０１やＲＡＭ２０２等の構成要素は、システムバス２００を介して、互いに各種データや後述のプログラムの命令等のやり取りを行っている。
【００１８】
上記入力装置２０４は、データ入力キー（テンキー、＊キー、＃キー）２１、通話開始キー２２、終話キー２３、スクロールキー２４、多機能キー２５、マイク２６などから構成されている。入力装置２０４の各種キー２１〜２５は、利用者が操作する操作手段としてのキー操作部２０ａ上に配置されている。各キー２１〜２５の表面部分は、表示画像を切り換えるための電気信号を受けることで表示画像が変化し且つその画像の表示状態を無給電状態でも維持可能な無給電画像表示手段としてのキー画像表示パネル２０８が設けられている。このキー画像表示パネル２０８については後述する。
【００１９】
上記出力装置２０５は、給電画像表示手段としての液晶ディスプレイ（ＬＣＤ）２７、スピーカ２８等から構成されている。上記携帯電話通信網用通信装置２０６は、携帯電話通信網１０を介して他の携帯電話機や上記ダウンロードサーバ１１と通信するためのものである。また、ＲＡＭ２０２内には、後述する電話機プラットフォームが管理する第１の記憶手段としてのプラットフォーム用記憶領域と、後述するアプリケーション実行環境上で管理される第２の記憶手段としてのアプリケーション用記憶領域とが存在する。
【００２０】
上記表示制御装置２０７は、キー操作部２０ａの各キー２１〜２５の表面部分に設けられたキー画像表示パネル２０８に表示されるキー表示画像の切り換え等の表示制御を行うものである。表示制御装置２０７は、ＣＰＵ２０１から送られてくる表示制御命令に従い、記憶手段としてのＲＡＭ２０２に記憶されている画像データに基づいて、キー画像表示パネル２０８に操作案内用の画像としてのキー操作案内画像（以下「キー画像」という。）を表示させる。上記表示制御装置２０７からキー画像表示パネル２０８へ出力される電気信号は、各キーの内側に設けられる信号受信手段としての図示しない信号端子から、キー画像表示パネル２０８に入力される。キー画像表示パネル２０８に電気信号が入力されると、その電気信号に応じたキー画像が、キー画像表示パネル２０８に表示される。
【００２１】
図５は、キー画像表示パネル２０８の一構成例を示す断面図である。本実施形態におけるキー画像表示パネル２０８は、いわゆる電子ペーパーと呼ばれるもので、各キーの本体部分の上に貼り付けられている。具体的に説明すると、このキー画像表示パネル２０８は、図示のように、透明下基材層３１、画像記録層３２、透明上基材層３３、保護層３４の４層構造となっている。透明下基材層３１の上部すなわち携帯電話機２０の外部側には、下格子電極３５が設けられており、透明上基材層３３の下部すなわち携帯電話機２０の内部側には、上格子電極３６が設けられている。下格子電極３５は、携帯電話機２０の横方向（図１中横方向）に平行に延びる多数の電線で構成されており、各電線の端部は、上記表示制御装置２０７に接続された信号端子に接続されている。また、上格子電極３６は、携帯電話機２０の縦方向（図１中縦方向）に平行に延びる多数の電線で構成されており、各電線の端部も同様に上記信号端子に接続されている。このように、下格子電極３５及び上格子電極３６は、各キー画像表示パネル２０８の全域にわたって、その電線が延びる方向が互いに直交するように配置されている。そして、表示制御装置２０７から適切なＯＮ／ＯＦＦタイミングの電気信号を入力することで、キー画像表示パネル２０８の表示領域の任意の地点における下格子電極３５の電線と上格子電極３６の電線との間の電位差を制御できる。
【００２２】
上記画像記録層３２としては、下格子電極３５と上格子電極３６との間に印加される電位差によってその地点の可視状態を制御することが可能であって、表示制御装置２０７から電気信号の入力がなくなっても、その可視状態が維持されるものを利用することができる。
例えば、透明なマイクロカプセル内に多数の白色粒子及び黒色粒子を封入し、これを下格子電極３５の電線と上格子電極３６の電線とが互いに交差する全ての地点（画素点）に配置したものを、上記画像記録層３２として用いることができる。この場合、各マイクロカプセル内の白色粒子と黒色粒子は互いに逆極性に帯電している。本実施形態では、白色粒子として負極性帯電物質を用い、黒色粒子として正極性帯電物質を用いている。よって、表示制御装置２０７から電気信号を入力して、ある画素点における下格子電極３５の電位を負極性とし上格子電極３６の電位を正極性とした場合、その画素点のマイクロカプセル内では黒色粒子が上格子電極３６側へ電気泳動し、白色粒子が下格子電極３５側へ電気泳動する。その結果、この画素点を携帯電話機２０の外部から見たとき、その画素点は黒色に見える。逆に、下格子電極３５の電位を正極性とし上格子電極３６の電位を負極性とした場合の画素点は、白色に見える。このような表示制御を表示領域の全域にわたって行うことで、その表示領域に所望のモノクロ画像を表示させることができる。しかも、各マイクロカプセル内の黒色粒子と白色粒子の配置は、表示制御装置２０７からの電気信号の入力がなくなっても維持される。したがって、本表示パネル２０８は、一旦表示した画像を無給電状態であってもそのまま維持することができる。また、表示制御装置２０７から入力される電気信号に応じて、多階調のモノクロ画像を表示させることもできる。
【００２３】
なお、本実施形態ではモノクロ画像を表示しているが、カラー画像を表示させることも可能である。カラー画像を表示させる具体例としては、上記透明上基材層３３と上記保護層３４との間にカラーフィルタ層を設けたものが挙げられる。このカラーフィルタ層としてＲ（赤）、Ｇ（緑）、Ｂ（青）の３色のフィルターを用いた場合、下格子電極３５の電線と上格子電極３６の電線とが互いに交差する地点のうち、互いに隣接する３つの地点を１つの画素として取り扱う。そして、この３つの地点にそれぞれＲ、Ｇ、Ｂのフィルタ部分が対向するように、カラーフィルタ層を設ける。これにより、例えばある画素を赤色とする場合には、Ｒフィルタ部分に対向するマイクロカプセルについては白色粒子が上格子電極３６側へ電気泳動し、Ｇフィルタ部分及びＢフィルタ部分に対向するマイクロカプセルについては黒色粒子が上格子電極３６側へ電気泳動するような、電気信号を入力する。
また、本発明で用いることができるキー画像表示パネル２０８としては、表示画像を切替可能でかつ無給電状態でも表示画像の表示状態を維持可能なものであれば、その他の公知の電子ペーパーなども利用することができる。
【００２４】
図６は、上記携帯電話機２０の主要部を抽出して示したブロック図であり、図７は、その携帯電話機２０におけるソフトウェア構造の説明図である。この携帯電話機２０は、無線通信手段としての電話通信部２１１及びデータ通信部２１２、操作部２１３、アプリケーションプログラム実行管理手段としてのアプリケーションプログラム実行管理部２１４、主制御部２１５、出力部２１６、キー画像表示部２１７等を備えている。
【００２５】
上記電話通信部２１１は、他の携帯電話機や固定電話機と電話通信を行うために、携帯電話通信網１０の基地局と無線通信を行うものであり、上述のハードウェア構成上の携帯電話通信網用通信装置２０６等に対応する。
【００２６】
上記データ通信部２１２は、上記電話通信部２１１と同様に、上述のハードウェア構成上の携帯電話通信網用通信装置２０６等に対応する。このデータ通信部２１２は、携帯電話通信網１０を介して他の携帯電話機とメールのやり取りを行ったり、携帯電話通信網１０からゲートウェイサーバを介して、インターネット等の外部の通信ネットワークに接続し、インターネット上での電子メールのやり取りやＷｅｂページの閲覧等を行ったりするためのものである。また、このデータ通信部２１２は、携帯電話通信網１０を介して、ダウンロードサーバ１１が提供するＬＣＤ画像データやアプリケーションプログラム及びキー画像データをダウンロードするためにも用いられる。
【００２７】
上記操作部２１３は、ユーザー１が操作可能な上述の各種キー２１〜２５等で構成されている。この操作部２１３を操作することにより、ユーザーは、携帯電話機２０に対してＵＲＬ等のデータを入力したり、電話着信の際に通話の開始及び終了を行ったり、アプリケーションプログラムの選択、起動及び停止を行ったりすることができる。また、ユーザーは操作部２１３を操作することにより、上記ダウンロードサーバ１１からＬＣＤ画像データやアプリケーションプログラム及びキー画像データをダウンロードすることもできる。
【００２８】
上記アプリケーションプログラム実行管理部２１４は、上述のシステムバス２００、ＣＰＵ２０１やＲＡＭ２０２の一部等で構成されている。このアプリケーションプログラム実行管理部２１４は、図７のソフトウェア構造上において中央の「アプリケーション実行環境」に対応しており、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。このアプリケーション実行環境は、実行するアプリケーションプログラムに応じて適宜選定される。例えば、実行するアプリケーションプログラムがＪＡＶＡで記述されたものである場合には、ＪＡＶＡのアプリケーション実行環境を選定する。また、実行するアプリケーションプログラムがＢＲＥＷの実行環境上で動作するＣ言語で記述されたものである場合には、ＢＲＥＷのアプリケーション実行環境を選定する。なお、実行するアプリケーションプログラムがＪＡＶＡで記述されたものである場合には、ＢＲＥＷのアプリケーション実行環境上に更にＪＡＶＡのアプリケーション実行環境を構築することで、これを実行することができる。
ここで、アプリケーションプログラムは、クラスライブラリＡＰＩ（アプリケーションインターフェース）を介して上記アプリケーション実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで、ＲＡＭ２０２内におけるアプリケーション用記憶領域に記憶される。また、アプリケーション実行環境は、アプリケーションプログラムの実行に際して用いる各種データも、そのアプリケーション用記憶領域に保存する。そして、この各種データを用いるときには、このアプリケーション用記憶領域から読み出したり、書き込んだりする。また、アプリケーション実行環境内の実行環境管理ライブラリは、電話機プラットフォームＡＰＩを介して後述の電話機プラットフォーム内の電話機プラットフォームライブラリを呼び出して使用できるようになっている。
【００２９】
上記主制御部２１５は、上記電話通信部２１１、データ通信部２１２、操作部２１３、出力部２１６、キー画像表示部２１７を制御するものであり、上述のシステムバス２００、ＣＰＵ２０１、ＲＡＭ２０２等で構成されている。この主制御部２１５は、アプリケーションプログラム実行管理部２１４との間で制御命令や各種データのやりとりを行い、これらと協働して制御を行う。主制御部２１５は、図７のソフトウェア構造上において最下部の「電話機プラットフォーム」に対応しており、上記電話通信部２１１等を制御するための制御用プログラムやユーザインターフェースを実行したり、電話機プラットフォームライブラリを提供したりする。この電話機プラットフォームは、上記アプリケーション実行環境内の実行環境管理ライブラリに対してイベントを送ることにより、アプリケーションプログラムにおいて各種処理を実行したり、アプリケーション管理ＡＰＩを介して上記アプリケーション実行環境内のアプリケーション管理のソフトウェアを呼び出して使用したりできるようになっている。また、アプリケーション実行環境が電話機プラットフォームＡＰＩを介して電話機プラットフォームライブラリを呼び出して使用したとき、電話機プラットフォームは、その電話機プラットフォームライブラリに応じた処理を実行する。例えば、電話機プラットフォームは、電話機プラットフォームライブラリを利用したアプリケーション実行環境からの指示に基づき、ＲＡＭ２０２内における電話機プラットフォームが管理するプラットフォーム用記憶領域に記憶されたデータを読み出して、これをアプリケーション用記憶領域に移行することができる。
【００３０】
上記出力部２１６は、上述のＬＣＤ２７、スピーカ２８等からなる出力装置２０５で構成されている。この出力部２１６は、上記データ通信部２１２で受信したＷｅｂページ画面をＬＣＤ２７に表示する。また、この出力部２１６のＬＣＤ２７は、上記電話通信部２１１やデータ通信部２１２で情報を着信した旨をユーザーに報知するときに用いられる。具体的には、その情報を着信すると、主制御部２１５により、出力部２１６のＬＣＤ２７に着信報知画像を表示したり、スピーカ２８から着信音を出力させたりする。更に、この出力部２１６は、アプリケーション実行環境で実行されるアプリケーションプログラムの実行中に、そのプログラム実行に関連したメニュー画面等の表示や音楽の出力にも用いられる。
【００３１】
上記操作部２１３の各キーのキー画像表示部２１７は、上述の表示制御装置２０７、キー画像表示パネル２０８等で構成されている。このキー画像表示部２１７は、上記主制御部２１５の制御の下で動作し、キー画像表示パネル２０８にキー画像を表示する。具体的には、あるキー画像を表示する場合、主制御部２１５は、そのキー画像の画像データをＲＡＭ２０２から読み出し、キー画像表示部２０７に対してこの画像データに基づく表示制御命令を出力する。この表示制御命令を受けキー画像表示部２１７は、その画像データに基づくキー画像をキー画像表示パネル２０８に表示させるための電気信号を表示制御装置２０７からキー画像表示パネル２０８へ出力する。そして、キー画像表示パネル２０８にキー画像が表示されたら、電気信号を出力を停止する。
【００３２】
キー画像表示パネル２０８に表示されているキー画像を別のキー画像へ切り替える場合、まず、ユーザー１は、操作部２１３を操作して、これから表示させるキー画像を選択するためのキー画像選択画面をＬＣＤ２７上に表示させる。そして、このキー画像において、ユーザー１が希望するキー画像をスクロールキー２４を用いて選択し、多機能キー２５を押下する。すると、その操作内容が主制御部２１５に入力され、主制御部２１５は、ユーザー１が選択したキー画像の画像データをＲＡＭ２０２から読み出し、キー画像表示部２１７に対してこの画像データに基づく表示制御命令を出力する。この表示制御命令を受けたキー画像表示部２１７は、その画像データに基づくキー画像をキー画像表示パネル２０８に表示させるための電気信号を表示制御装置２０７からキー画像表示パネル２０８へ出力した後、その電気信号を出力を停止する。これにより、キー画像表示パネル２０８に表示されていたキー画像を、ユーザー１が希望する別のキー画像に切り替えることができる。
【００３３】
なお、携帯電話機２０を所定の手順に従って動作させる電話機プラットフォームを構築するための制御用プログラムは、ＲＡＭ２０２やＲＯＭ２０３に記憶されている。また、基本ＯＳ（オペレーティングシステム）のプログラムや、上記アプリケーション実行環境を構築するためのプログラム及びアプリケーションプログラムも、ＲＡＭ２０２やＲＯＭ２０３に記憶されている。そして、これらのプログラムは、必要に応じてＣＰＵ２０１やＲＡＭ２０２中の作業エリアに呼び出されて実行される。
【００３４】
〔動作例１〕
次に、アプリケーションプログラム実行管理部２１４でアプリケーションプログラムが実行されているとき、このプログラムの実行中に用いる特定用途のキー画像を操作部２１３の各キーのキー画像表示パネル２０８に表示させるための一動作例（以下、本動作例を「動作例１」という。）について説明する。
【００３５】
図８は、本動作例１における制御の流れを示すフローチャートである。
まず、ユーザー１は、特定プログラムであるアプリケーションプログラムを上記ダウンロードサーバ１１からダウンロードして取得し、これを登録する（Ｓ１）。具体的には、図９に示すように、ダウンロードサーバ１１からアプリケーションプログラムをダウンロードする場合、まず、ユーザーは、操作部２１３のキーを操作し、ブラウザを起動して閲覧先のＵＲＬを入力する。そうすると、ブラウザを実行する主制御部２１５は、そのＵＲＬによって特定されるダウンロードサーバ１１に対してリクエストを送信する。このリクエストを受けたダウンロードサーバ１１は、そのリクエストの送信元である携帯電話機２０に向けて、そのリクエストに係るアプリケーションリストをレスポンスとして送信する。その後、ユーザーは、操作部２１３のキーを操作して、ＬＣＤ２７上に表示されたアプリケーションリストの中から、自分が希望するアプリケーションプログラムを選択する。すると、主制御部２１５は、その選択結果をデータ通信部２１２を介してリクエスト（プログラム取得要求）とともにダウンロードサーバ１１へ送信する。このリクエストを受けたダウンロードサーバ１１は、そのリクエストに係るアプリケーションプログラムを、レスポンスとして携帯電話機２０に向けて送信する。
【００３６】
本動作例１において、アプリケーションプログラムには、そのアプリケーション本来のメインプログラム部分に加え、上記主制御部２１５を介してキー画像表示パネル２０８にキー画像を表示させるための表示制御プログラム部分も含まれている。そして、このアプリケーションプログラムをダウンロードする際には、図９に示すように、このアプリケーションプログラム中の制御表示プログラム部分が利用するキー画像データもレスポンスの中に含まれ、アプリケーションプログラムと一緒にダウンロードされる。このレスポンスを受信した携帯電話機２０の主制御部２１５は、そのレスポンスに含まれるアプリケーションプログラム及びキー画像データをＲＡＭ２０２に保存する。このとき、キー画像データは、そのアプリケーションプログラムに関連付けられた状態で保存される。なお、本動作例１では、データ通信部２１２及び主制御部２１５によってデータ取得手段が構成され、主制御部２１５によってデータ保存手段が構成されている。以下の動作例についても同様である。
【００３７】
このようにダウンロードしたアプリケーションプログラムを実行する場合、ユーザー１は、操作部２１３のキーを操作して、実行するアプリケーションプログラムを選択し、実行指示操作を行う（Ｓ２）。すると、図７に示した電話機プラットフォームすなわち図６に示した主制御部２１５に、アプリケーションプログラムの実行指示が入力される。これにより、主制御部２１５は、ダウンロードしたアプリケーションプログラムを読み出してこれを起動し、携帯電話機がアプリケーションプログラム実行モードになる（Ｓ３）。本動作例１においては、アプリケーションプログラムが起動すると、図７に示したアプリケーション実行環境すなわち図６に示したアプリケーションプログラム実行管理部２１４上で、そのアプリケーションプログラムが動作する。その結果、このアプリケーションプログラムのメインプログラム部分の内容に従ったゲームなどのアプリケーションが、携帯電話機２０のユーザー１に提供される（Ｓ４）。
【００３８】
更に、本動作例１においては、アプリケーションプログラムが起動すると、その表示制御プログラム部分の内容に従ってアプリケーションプログラム実行管理部２１４に対して表示制御命令が送られる。これにより、アプリケーションプログラム実行管理部２１４は、電話機プラットフォームの主制御部２１５に対して表示制御命令を送る。これを受けた主制御部２１５は、その表示制御命令に係るキー画像データをＲＡＭ２０２から読み出す（Ｓ５）。このキー画像データは、上記アプリケーションプログラムのダウンロードの際に一緒にダウンロードされてＲＡＭ２０２に記憶されたものである。その後、主制御部２１５は、上記と同様に、キー画像表示部２１７に対してこのキー画像データに基づく表示制御命令を出力する。これにより、操作部２１３の各キーのキー画像表示パネル２０８に表示されているキー画像が、アプリケーションプログラムのメインプログラム部分の内容に関係した特定用途のキー画像へ切り替わる（Ｓ６）。
例えば、ゲームのアプリケーションプログラムを実行する場合、各キーのキー画像表示パネル２０８に表示されキー画像を、図１（ａ）に示す通常の待機状態のキー画像から、ゲームのアプリケーションで使用する特定の用途のキー画像（Ａ，Ｂ，Ｘ，Ｙ，Ｚボタン用の画像）に切り替る。宇宙空間で戦闘機を操縦して敵機を撃沈させるシューティングゲームの場合は、ゲーム開始・停止ボタンやシューティング動作ボタンとして機能するキーのそれぞれに、それらの対応する特定用途を表す記号等のキー画像を表示する。
【００３９】
以上、本動作例１によれば、アプリケーションプログラムを実行する動作モードに移行したときに、携帯電話機の操作部２１３の各キーの表面に表示されるキー画像を、そのアプリケーションプログラムの内容に関係した特定用途のキー画像にすることができる。
【００４０】
〔動作例２〕
次に、上記携帯電話機２０においてメール文面等の文字情報を入力する文字情報入力画面が出力部２１６のＬＣＤに表示されているとき、その文字情報入力に用いる入力モードの切り換えに応じて、操作部２１３の各キーのキー画像表示パネル２０８に表示するキー画像を切り換えるための一動作例（以下、本動作例を「動作例２」という。）について説明する。
【００４１】
図１０は、本動作例２における制御の流れを示すフローチャートである。図１１（ａ）〜（ｃ）は、本動作例２における各入力モードにおける携帯電話機２０の外観を示す正面図である。ユーザー１がメール文面などの文字情報を入力する動作モードを選択すると、操作部２１３の各キーの表面のキー画像は、図１１（ａ）に示す待受け用のキー画像から図１１（ｂ）に示す日本語のかな入力するためのキー画像に自動的に切り替わって表示される。次に、ユーザー１が「かな文字入力」から「英文字入力」に切り換えるべく、所定のキー操作で入力モードの変更指示を行う。すると、主制御部２１５は、入力モードの変更指示があったと判断し、各キーの入力データ割り当てを「かな文字」から「英文字」に切り換える制御を実行する（Ｓ１，Ｓ２）。更に、主制御部２１５は、英文字入力モードに関連付けられたキー画像データを、ＲＡＭ２０２から読み出す（Ｓ３）。その後、主制御部２１５は、前述の動作例１の場合と同様に、キー画像表示部２１７に対してこのキー画像データに基づく表示制御命令を出力する。これにより、各キーのキー画像表示パネル２０８に表示されているキー画像が、図１１（ｂ）に示すかな文字入力用のキー画像から図１１（ｃ）に示す英文字入力用のキー画像へ切り替わる（Ｓ４）。
また、ユーザーが「英文字入力」から「かな文字入力」、「かな文字入力」から「数字入力」等の他の切り換えの態様の場合も、各キーのキー画像表示パネル２０８に表示されているキー画像を、上記同様に切り換え後の文字入力モードに対応するキー画像に切り換えるように制御する。
【００４２】
本動作例２によれば、メール文面等の文字情報を入力する文字情報入力画面が出力部２１６のＬＣＤに表示されているとき、その文字情報入力に用いる入力モードの切り換えに応じて、操作部２１３の各キーのキー画像表示パネル２０８に表示するキー画像を切り換える。このキー画像の切り換えにより、各キーを押下したときに入力される正確な文字種類を常に把握させることができるので、ユーザーによるキー操作の操作性の向上を図ることができる。
【００４３】
〔動作例３〕
上記動作例２では各キーのキー画像表示パネル２０８に表示するキー画像を切り換えを入力モードの切り換えに応じて行っているが、図１２の切り換え動作例３に示すように携帯電話機２０の言語切り換えに応じて行うようにしてもよい。図１２の切り換え動作例３は、国際ローミング可能な携帯電話機を日本から英国に持っていったときに携帯電話機の言語モードを日本語モードから英語モードに切り換えた場合の例である。ユーザーが所定のキー操作で言語モードを日本語モードから英語モードに切り換える変更指示を行う。すると、主制御部２１５は、その変更指示があったと判断し、各キーの入力データ割り当てを「かな数字文字」から「英数字文字」に切り換える制御を実行する（Ｓ１，Ｓ２）。更に、主制御部２１５は、英数字文字の入力モードに関連付けられたキー画像データを、ＲＡＭ２０２から読み出す（Ｓ３）。その後、主制御部２１５は、前述の動作例１の場合と同様に、キー画像表示部２１７に対してこのキー画像データに基づく表示制御命令を出力する。これにより、各キーのキー画像表示パネル２０８に表示されているキー画像が、かな数字入力用のキー画像から英数字入力用のキー画像へ切り替わる（Ｓ４）。
【００４４】
本動作例３によれば、携帯電話機の言語モードの切り換えに応じて、操作部２１３の各キーのキー画像表示パネル２０８に表示するキー画像を切り換えることにより、ユーザーが希望する言語が変わったときのキー操作の操作性の向上を図ることができる。
【００４５】
なお、上記携帯電話機の姿勢を検知する姿勢検知手段を設け、この姿勢検知手段の検知結果に基づいて、操作部２１３の各キーの表面に表示されるキー画像がユーザーにとって常に見やすい向きに表示できるように制御してもよい。
図１３は、上記姿勢検知手段としての姿勢検知部２１８を備えたときの携帯電話機２０の主要部を抽出して示したブロック図である。この姿勢検知部２１８は主制御部２１５で制御され、姿勢検知部２１８で検知された検知データは主制御部２１５に送られてデータ処理されたり、キー画像の切り換え制御に用いられたりする。
【００４６】
上記姿勢検知部２１８としては、例えば加速度センサを用いたり、この加速度センサと地磁気センサとを組み合わせたものを用いることができる。加速度センサは、データ入力キーが設けられた操作部２１３の面に対して平行な面内で互いに直交する２方向（図１４中、Ｘ軸方向及びＹ軸方向）に向かう加速度αX，αYを検出する２軸の加速度センサである。この加速度センサは、携帯電話機２０の内部に設けられた図示しない回路基板上に実装されており、上記加速度αX，αYを検出できる公知のものを用いることができる。
また、上記地磁気センサは、上記Ｘ軸及び上記Ｙ軸並びにこれらの軸に直交するＺ軸からなる３次元座標上における地磁気の磁界強度成分（磁束密度成分）を検知する３軸のセンサである。そして、この地磁気センサの検知結果を利用して、Ｘ軸、Ｙ軸及びＺ軸のまわりの角度θX（ピッチ角），θY（ロール角），θZ（ヨー角）を検出することができる。具体的には、地磁気の方向が、基準となる地磁気の方向（基準方向）に対して変化したときの変化量を、Ｘ軸、Ｙ軸及びＺ軸のまわりの角度θX，θY，θZを用いて検出する。これにより、地磁気の方向が基準方向にあるときの姿勢から携帯電話機がその姿勢を変化させたとき、その変化後の姿勢を各角度θX，θY，θZによって特定することができる。
また、上記地磁気センサを用いることで、例えば上記Ｚ軸が北方位に対してどの向きに向いているかを検知することもできる。この場合、例えば、上記Ｚ軸と北方位とのなす角（以下、「方位角」という。）θNによって携帯電話機が向いている方角を特定する。この地磁気センサも、携帯電話機２０の内部に設けられた図示しない回路基板上に実装されている。
なお、これらの加速度センサ及び地磁気センサは、携帯電話機２０の本体とは別体の装置として構成してもよい。この場合、例えば、これらのセンサを備えた外部装置を、携帯電話機２０の本体に設けられる外部端子に接続し、その外部装置と携帯電話機２０の本体とが一体となるように構成する。
【００４７】
〔動作例４〕
図１５は、図１３に示す姿勢検知部２１８を備えた携帯電話機２０における操作部２１３の各キーのキー画像表示パネル２０８を切り換えるための一動作例（以下、本動作例を「動作例４」という。）を示すフローチャートである。ユーザーが携帯電話機２０を縦向き姿勢（図１６（ａ）の姿勢）から横向き姿勢（図１６（ｂ）の姿勢）に変化させると、その姿勢の変化が姿勢検知部２１８で検知される（Ｓ１）。すると、主制御部２１５は、携帯電話機２０の姿勢変化があったと判断し（Ｓ２）、出力部２１６のＬＣＤ２７における表示を縦長表示から横長表示に切り換える（Ｓ３）。この表示切り換えにより、ＬＣＤ２７に表示される画像を正しい向きでみることができる。更に、主制御部２１５は、横向き姿勢に関連付けられたキー画像データを、ＲＡＭ２０２から読み出す（Ｓ４）。その後、主制御部２１５は、前述の動作例１の場合と同様に、キー画像表示部２１７に対してこのキー画像データに基づく表示制御命令を出力する。これにより、各キーのキー画像表示パネル２０８に表示されているキー画像が、図１６（ａ）に示す縦向き姿勢用のキー画像から図１６（ｂ）に示す横向き姿勢用のキー画像へ切り替わる（Ｓ５）。
本動作例４によれば、携帯電話機２０の姿勢に応じて、操作部２１３の各キーのキー画像表示パネル２０８に表示するキー画像の向きを切り換えることにより、各キーに表示されるキー画像の向きを常にユーザの見やすい適正な向きにすることができる。したがって、携帯電話機２０の姿勢が変化した場合でも、ユーザーによるキー操作の操作性の向上を図ることができる。
【００４８】
以上、上記各実施形態においては、操作部２１３の各キーの表面部分を構成する無給電画像表示手段としてのキー画像表示部２１７（キー画像表示パネル２０８）に表示する画像の表示状態が無給電状態でも維持される。そのため、無駄な電力消費を防止しつつ操作部２１３の各キーの表面部分に画像を表示し続けることができる。しかも、ユーザーの好みが変わったり動作モードを切り換えたりしたときなど操作部２１３の各キーの表面部分に表示する画像を変更する場合には、上記キー画像表示部２１７（キー画像表示パネル２０８）に表示する画像を画像切換手段としての表示制御装置２０７で切り換えることにより、各キーの表面部分に表示する画像を手軽に変更することができる。
【００４９】
なお、上記各実施形態では、各キーの表面のキー画像表示パネル２０８についてキー画像を切り換える場合について説明したが、このキー画像だけでなく、操作部２１３のキー以外の部分についても上記キー画像表示パネル２０８と同様な電子ペーパーと呼ばれるもので構成し、そのキー以外の部分に表示されている画像を日本語用の文字画像から英語用の文字画像に切り換えたり、他の模様の画像に切り換えたりするようにしてもよい。
また、携帯電話機の操作部以外のケーシング部分についても上記キー画像表示パネル２０８と同様な電子ペーパーと呼ばれるもので構成し、そのケーシング部分に表示されている画像を日本語用の文字画像から英語用の文字画像に切り換えたり、他の模様の画像に切り換えたりするようにしてもよい。
【００５０】
また、上記各実施形態では、アプリケーションプログラムや待ち受け画像データ及びキー画像データを、携帯電話通信網１０を介してダウンロードサーバ１１から取得する場合を例に挙げたが、他の取得方法であってもよい。例えば、携帯電話機２０に対して着脱可能なメモリーカード等の外部記憶媒体から画像データを読み出して取得する方法が挙げられる。この外部記憶媒体の具体例としては、ＳＤメモリーカード、ＣＦ（コンパクトフラッシュ：登録商標）メモリーカード、スマートメディア、メモリースティック、ＭＭＣ（マルチメディアカード）等が挙げられる。
また、上記各実施形態では、キー画像をこれに関係したアプリケーションプログラムや待ち受け画像データと一緒に取得する場合について説明したが、これらを別々に取得するようにしてもよい。例えば、携帯電話機２０が小型カメラ等の撮像手段を備えている場合には、その撮像手段で撮像することでキー画像の画像データを取得することも可能である。別々に取得したアプリケーションプログラムや待ち受け画像データとキー画像は、その取得後、互いに関連付けてＲＡＭ２０２に保存すればよい。
また、本発明は、携帯電話機のほか、ＰＨＳ、自動車電話機等の電話機、携帯型のＰＤＡの場合についても適用でき、同様な効果が得られるものである。
【図面の簡単な説明】
【００５１】
【図１】（ａ）及び（ｂ）は互いに異なる動作モードにおける携帯電話機の外観を示す正面図。
【図２】同携帯電話機を用いる移動体通信システムの全体構成を説明するための説明図。
【図３】同移動体通信システムを構成するダウンロードサーバのハードウェア構成を示す概略構成図。
【図４】同携帯電話機のハードウェア構成を示す概略構成図。
【図５】同携帯電話機の各キーの表面部分に設けたキー画像表示パネルの断面図。
【図６】同携帯電話機の主要部を抽出して示したブロック図。
【図７】同携帯電話機に用いるソフトウェア構造の説明図。
【図８】動作例１における制御の流れを示すフローチャート。
【図９】ダウンロードサーバから携帯電話機へのアプリケーションプログラムのダウンロード手順を示すシーケンス図。
【図１０】動作例２における制御の流れを示すフローチャート。
【図１１】（ａ）〜（ｃ）は動作例２におけるキー画像の変化を示す携帯電話機の外観を示す正面図。
【図１２】動作例３における制御の流れを示すフローチャート。
【図１３】他の実施形態に係る携帯電話機の主要部を抽出して示したブロック図。
【図１４】同携帯電話機に設けた姿勢検知部のセンサーで検知する検知データを座標を示す説明図。
【図１５】動作例４における制御の流れを示すフローチャート。
【図１６】（ａ）及び（ｂ）は動作例４におけるキー画像の変化を示す携帯電話機の外観を示す正面図。
【符号の説明】
【００５２】
１０  携帯電話通信網
１１  ダウンロードサーバ
２０  携帯電話機
２１〜２５  キー
２７  ＬＣＤ
３１  透明下基材層
３２  画像記録層
３３  透明上基材層
３４  保護層
３５  下格子電極
３６  上格子電極
２０７  表示制御装置
２０８  キー画像表示パネル
２１１  電話通信部
２１２  データ通信部
２１３  操作部
２１４  アプリケーションプログラム実行管理部
２１５  主制御部
２１６  出力部
２１７  キー画像表示部
【図１】
2005227899.tif 000003
【図２】
2005227899.tif 000004
【図３】
2005227899.tif 000005
【図４】
2005227899.tif 000006
【図５】
2005227899.tif 000007
【図６】
2005227899.tif 000008
【図７】
2005227899.tif 000009
【図８】
2005227899.tif 000010
【図９】
2005227899.tif 000011
【図１０】
2005227899.tif 000012
【図１１】
2005227899.tif 000013
【図１２】
2005227899.tif 000014
【図１３】
2005227899.tif 000015
【図１４】
2005227899.tif 000016
【図１５】
2005227899.tif 000017
【図１６】
2005227899.tif 000018